(57)【要約】【課題】一つのＩＣタグを少なくとも二組以上の相対可動部における開閉状況の監視に兼用させた遊技機監視システムを提供する。【解決手段】前面枠４の後面開放側上端縁には、前面枠アンテナ３８が固着されている。また、機枠２の前面右上隅（前面側から見て）には、機枠アンテナ３９が固着されている。一方、本体枠３の前面開放側上端縁であって、前面枠４を本体枠３に対して閉じた状態とした際に前面枠アンテナ３８と対峙する位置であって、且つ、本体枠３を機枠２に対して閉じた状態とした際に機枠アンテナ３９との間でＲＦＩＤ通信が可能となる位置には、本体枠タグ４０が固着されている。そして、前面枠４或いは本体枠３を閉じた状態とした場合にのみ、前面枠アンテナ３８と本体枠タグ４０との間の距離或いは機枠アンテナ３９と本体枠タグ４０との距離が所定の通信距離内となり、両者間でＲＦＩＤ通信が成立するようになっている。【選択図】図２
2006087823.tif 000002
【特許請求の範囲】
【請求項１】
制御装置からの指令に基づいて、遊技機における相対可動部に取り付けられたＩＣタグとアンテナとの間で無線通信を断続的に行っており、該無線通信の不成立を検知すると、前記相対可動部の開閉状態に係る情報である監視情報を作成する遊技機監視システムであって、
一のＩＣタグを、複数の相対可動部における無線通信に用いることを特徴とする遊技機監視システム。
【請求項２】
周囲を機枠で保持され、該機枠の前面側に遊技盤を有する本体枠が取り付けられ、前記遊技盤の前面を覆うように前面枠が取り付けられた遊技機において、少なくとも前面枠及び本体枠の開閉状態をＩＣタグとアンテナとの間で行う無線通信により監視する遊技機監視システムであって、
前記本体枠にＩＣタグを固着する一方、
前記前面枠であって、前記前面枠を前記本体枠に対して閉じた状態とした際に前記ＩＣタグとの間で無線通信可能となる位置に第一のアンテナを固着するとともに、前記機枠であって、前記本体枠を前記機枠に対して閉じた状態とした際に前記ＩＣタグとの間で無線通信可能となる位置に第二のアンテナを固着することを特徴とする請求項１に記載の遊技機監視システム。
【請求項３】
ＩＣタグとアンテナとの間の無線通信が不成立となった場合に、少なくとも無線通信が不成立となった日時及び不成立となった無線通信に係るＩＣタグとタグＩＤを監視情報として記憶することを特徴とする請求項１または２に記載の遊技機監視システム。
【請求項４】
制御装置と接続された報知手段を備えており、
ＩＣタグとアンテナとの間の無線通信が不成立となると、報知手段により報知を行うことを特徴とする請求項１〜３のいずれかに記載の遊技機監視システム。
【発明の詳細な説明】
【技術分野】
【０００１】
本発明は、パチンコ機、スロットマシーン等の遊技機における相対可動部の開閉状況を監視するための遊技機監視システムに関するものである。
【背景技術】
【０００２】
従来より、ホールに設置されているパチンコ機に対し、特定の遊技者が不正に利益を得ようとして、遊技中に前面枠を開放したり、本体枠を開放して遊技内容を制御するＬＳＩやＲＯＭ等を交換するといった不正行為が後を絶たない。そこで、そのような不正行為を防止するために、たとえば特許文献１に開示されているような遊技機監視システムが考案されている。
【０００３】
【特許文献１】特開２００４−１７４１１５号公報
【０００４】
特許文献１の遊技機監視システムは、たとえば前面枠と本体枠とからなる相対可動部において、一方に固有の識別情報を記憶するＩＣタグを、他方に該ＩＣタグとの間で非接触のＲＦＩＤ（Radio Frequency identification）通信（無線通信）可能なアンテナを夫々固着し、該アンテナが接続される制御装置にてＩＣタグとアンテナとの間で行われるＲＦＩＤ通信を制御させるとともに該ＲＦＩＤ通信の可否を判断させるものである。そして、制御装置にて、相対可動部におけるＲＦＩＤ通信の通信状態の変化を検知すると、検知した日時等からなる監視情報を作成・記憶することによって、相対可動部における開閉状況の監視を行っている。
【発明の開示】
【発明が解決しようとする課題】
【０００５】
特許文献１の遊技機監視システムでは、複数組の相対可動部における開閉状況の監視を行う場合、相対可動部の組数と同じ数のＩＣタグ及びアンテナを必要とする。したがって、ＩＣタグやアンテナの設置位置の確保が困難となったり、部品点数が増えることによるコスト高や設置・メンテナンス作業の煩雑化等を招くという問題が発生する。
【０００６】
そこで、本発明は、上記課題に鑑みなされたものであって、一つのＩＣタグを少なくとも二組以上の相対可動部における開閉状況の監視に兼用させた遊技機監視システムを提供しようとするものである。
【課題を解決するための手段】
【０００７】
上記目的を達成するために、請求項１の発明は、制御装置からの指令に基づいて、遊技機における相対可動部に取り付けられたＩＣタグとアンテナとの間で無線通信を断続的に行っており、該無線通信の不成立を検知すると、前記相対可動部の開閉状態に係る情報である監視情報を作成する遊技機監視システムであって、一のＩＣタグを、複数の相対可動部における無線通信に用いることを特徴とする。
また、請求項２の発明は、請求項１の発明において、周囲を機枠で保持され、該機枠の前面側に遊技盤を有する本体枠が取り付けられ、前記遊技盤の前面を覆うように前面枠が取り付けられた遊技機において、少なくとも前面枠及び本体枠の開閉状態をＩＣタグとアンテナとの間で行う無線通信により監視する遊技機監視システムであって、前記本体枠にＩＣタグを固着する一方、前記前面枠であって、前記前面枠を前記本体枠に対して閉じた状態とした際に前記ＩＣタグとの間で無線通信可能となる位置に第一のアンテナを固着するとともに、前記機枠であって、前記本体枠を前記機枠に対して閉じた状態とした際に前記ＩＣタグとの間で無線通信可能となる位置に第二のアンテナを固着することを特徴とする。
さらに、請求項３の発明は、請求項１または２の発明において、ＩＣタグとアンテナとの間の無線通信が不成立となった場合に、少なくとも無線通信が不成立となった日時及び不成立となった無線通信に係るＩＣタグのタグＩＤを監視情報として記憶することを特徴とする。
加えて、請求項４の発明は、請求項１〜３のいずれかの発明において、制御装置と接続された報知手段を備えており、ＩＣタグとアンテナとの間の無線通信が不成立となると、報知手段により報知を行うことを特徴とする。
【発明の効果】
【０００８】
本発明によれば、アンテナとＩＣタグとの間で行う無線通信を利用して、遊技機の相対可動部の開閉状態の監視（監視情報の記憶）を行っている。したがって、たとえば遊技者がわずかにでも相対可動部を不正に開放したりすると、アンテナとＩＣタグとの間のＲＦＩＤ通信が不成立となるため、制御装置は直ちにその事態を検知することができる。また、相対可動部の開放を検知すると、監視情報を作成・記憶するため、リアルタイムで効果的な監視を行うことができる。そして、このような監視を行うことで、不正行為に対して強い遊技機を提供することができる。
また、一のＩＣタグを利用して、複数の相対可動部の開閉状態を監視可能としているため、より少ない点数で遊技機監視システムを構成することができ、設置作業やメンテナンスがより容易となる上、低コスト化をも図ることができる。さらに、一のアンテナに対して一のＩＣタグを設置するものに比べて、ＩＣタグの設置位置が確保しやすく、遊技機の設計自由度を高めることにもなる。
さらに、特に請求項３の発明によれば、少なくとも無線通信が不成立となった日時及び不成立となった無線通信に係るＩＣタグのタグＩＤを監視情報として記憶するため、より精度の高い監視を行うことができる。
加えて、請求項４の発明によれば、無線通信の不成立を検知すると、報知手段により報知を行うため、たとえば直ちにホール店員等に知らせることができ、不正に相対可動部を開放する事態を極めて効果的に防止することができる。
【発明を実施するための最良の形態】
【０００９】
以下、本発明に係る遊技機監視システムの一実施形態について、図面に基づき、次の目次の順序にしたがって詳細に説明する。
（１）実施例の遊技機監視システムの概要
（２）実施例の遊技機監視システムの構造
（３）実施例の遊技機監視システムの動作内容
（４）実施例の遊技機監視システムの効果
（５）本発明の変更例の説明
【００１０】
（１）実施例の遊技機監視システムの概要
本実施例に係る遊技機監視システムは、ＲＦＩＤ技術を利用して各ホールで島設備に設置されるパチンコ機を監視しようとするものであって、固有の識別情報を記憶した監視タグ（ＩＣタグ）、該監視タグとの間でＲＦＩＤ通信可能な監視アンテナ（アンテナ）、該監視アンテナと接続されＲＦＩＤ通信を制御するとともに監視情報を作成・記憶する制御装置等を備えている。
本実施例では、１台の制御装置にて、１台のパチンコ機の相対可動部における監視動作を制御する。具体的には、各パチンコ機において、本体枠（相対可動部）に対する前面枠（相対可動部）の開閉状況、機枠（相対可動部）に対する本体枠の開閉状況、及び主制御基板を収納した分割式の収納ケースである主制御基板収納ケース（相対可動部）の開閉状況を監視している。尚、本発明において、相対可動部とは、少なくとも一方の移動によって相対距離が変化する第一の部材と第二の部材とからなる一組の部材である。
【００１１】
制御装置は、ＲＦＩＤ通信を制御するＣＰＵ（制御手段）、監視情報等を記憶するＥＥＰＲＯＭ（記憶手段）、各アンテナと接続されるＲＦ回路、日時を計時するＲＴＣ、充電可能なバッテリ、及び報知ランプを備えたスポット（報知手段）等との間で無線通信を行うための無線モジュール等を内蔵している。
【００１２】
本実施例では、本体枠に監視タグを固着する一方、前面枠に監視アンテナを固着して、前面枠が本体枠に対して閉じた状態においてのみ両者間でＲＦＩＤ通信を可能とすることで、前面枠の本体枠に対する開閉状況を監視する。また、機枠に監視アンテナを固着して、本体枠が機枠に対して閉じた状態においてのみ上記監視タグとの間でＲＦＩＤ通信を可能とすることで、本体枠の機枠に対する開閉状況を監視する。つまり、本体枠に固着される監視タグを、前面枠及び機枠に夫々固着される監視アンテナで挟み込んだ状態となる。
さらに、主制御基板収納ケースでは、ベースに監視タグを、監視タグを覆った状態でベースとカバーとに跨るように監視アンテナを固着して、収納ケースが組み立てられた状態においてのみ両者間でＲＦＩＤ通信を可能することで、主制御基板収納ケースの開閉状況を監視する。尚、監視タグと監視アンテナとの間におけるＲＦＩＤ通信は常時繰り返し行われており、該状態を正常状態とする。
【００１３】
また、監視タグと監視アンテナとの間のＲＦＩＤ通信可能距離は５ｍｍ程度に設定されており、相対可動部（前面枠や本体枠、主制御基板収納ケース）がほんの僅かでも開放されると両者間のＲＦＩＤ通信は不成立となる。該ＲＦＩＤ通信が不成立となると、制御装置は異常状態であると判断し、判断した日時等に関連付けた異常情報（監視情報）をＥＥＰＲＯＭに記憶するとともに、報知ランプにて異常状態の報知を行うようにスポットへと報知要求信号を送信する。
【００１４】
（２）実施例の遊技機監視システムの構造
図１は、パチンコ機１、１・・が設置された島設備７１の説明図である。
図１に示されているように、各島設備７１には、複数のパチンコ機１、１・・が隣接して設置されている。また、各島設備７１の側端には、主にホール店員への報知を行う報知ランプ７２を備えたスポット７３が取り付けられている。一方、島設備７１の内部には、各パチンコ機１と夫々対応する制御装置２０、２０・・が設置されており、各パチンコ機１の相対可動部における監視動作を制御している。尚、スポット７３は、制御装置２０及びステーション５８（図６に示す）と無線ＬＡＮによってネットワーク接続されており、後述するように両者の中継点としての役割も果たす。
【００１５】
次に、図２及び図３を基に、パチンコ機１について説明する。図２は、本体枠３及び前面枠４を片開きにした状態を示したパチンコ機１の説明斜視図であり、図３は、パチンコ機１の後面を示した説明図である。
パチンコ機１は、その周囲を機枠２によって支持されたものであって、機枠２の前面側には、本体枠３が左端縁（前面側から見て）を軸として着脱自在に蝶着されている。本体枠３には、遊技領域を有する遊技盤６が嵌め込み設置されており、その遊技盤６の遊技領域内には、障害釘をはじめとして図柄表示装置１４、図柄始動口１５、可動部材１６を有する大入賞装置１７等の遊技部材が設けられている。
【００１６】
また、ガラス板を保持する前面枠４が、遊技盤６の前面を覆うように左端縁（前面側から見て）を軸として着脱自在に蝶着されている。さらに、前面枠４の下方には、発射装置７に遊技球を供給するための供給皿８、及び供給皿８から溢れた遊技球を貯留するための貯留皿９が取り付けられている。加えて、貯留皿９の右側（前面側から見て）には、発射装置７を動作させるための発射ハンドル１１が取り付けられている。
【００１７】
さらに、前面枠４の後面開放側上端縁には、前面枠アンテナ（監視アンテナ）３８が固着されている。一方、本体枠３の前面開放側上端縁であって、前面枠４を本体枠３に対して閉じた状態とした際に前面枠アンテナ３８と対峙する位置には、本体枠タグ（監視タグ）４０が固着されている。そして、前面枠４を閉じた状態とした場合にのみ、前面枠アンテナ３８と本体枠タグ４０との間の距離が所定の通信距離内となり、両者間でＲＦＩＤ通信が成立するようになっている。尚、前面枠アンテナ３８はケーブル（図２では省略）３４によって制御装置２０に接続されており、制御装置２０にて該ＲＦＩＤ通信の正否を判断することで、前面枠４の開閉状況は監視される。
【００１８】
さらにまた、機枠２の前面右上隅（前面側から見て）であって、本体枠３を閉じた状態とした場合にのみ、本体枠タグ４０との間でＲＦＩＤ通信可能となる位置に、機枠アンテナ（監視アンテナ）３９が固着されている。尚、前面枠アンテナ３８同様、機枠アンテナ３９はケーブル３４によって制御装置２０に接続されており、制御装置２０にて本体タグ４０との間のＲＦＩＤ通信の正否を判断することで、本体枠３の開閉状況は監視される。
【００１９】
一方、パチンコ機１の後面（本体枠３の後面）には、遊技球払出装置等を備えた機構板が本体枠３に一体的に取り付けられている。該機構板には、主制御基板２１を収納した分割式の収納ケースである主制御基板収納ケース１９等の電子基板部材が載置された状態となっている。また、センターカバー２１が着脱自在に取り付けられており、遊技盤６の後面を保護している。
【００２０】
ここで、主制御基板収納ケース１９について、図４を基に説明する。図４は、主制御基板収納ケース１９を分解した状態を示した説明斜視図である。
主制御基板収納ケース１９は、ベース８２とカバー８３とからなる分割式の収納ケースであり、ベース８２とカバー８３とが複数の係止部により、主制御基板２１を内包した状態で一体的に組み付けられている。該ベース８２の左側面（後面側から見て）には、ケースタグ（監視タグ）８８が固着されている。また、主制御基板収納ケース１９の左側面には、ケースタグ８８を覆うように且つベース８２とカバー８３とに跨るようにケースアンテナ（監視アンテナ）８９が固着されている。そして、ケースタグ８８とケースアンテナ８９との間のＲＦＩＤ通信を、主制御基板収納ケース１９を組み立てた状態でのみ成立可能とし、制御装置２０にてその通信の可否を判断することで、主制御基板収納ケース１９の開閉状況を監視する。
【００２１】
尚、主制御基板２１は、パチンコ機１の遊技内容に関する種々の動作を制御（遊技に係る制御）を行うものである。ここで、パチンコ機１の遊技内容に関する種々の動作とは、遊技球の払い出しに関する動作や、遊技者にとって有利な「大当たり状態」を生起させるか否かの「抽選」に関する動作等の各種動作（すなわち、遊技者の利益に直接的に関わる動作）のことである。
【００２２】
ここで、上述した監視タグ（本体枠タグ４０、ケースタグ８８）及び監視アンテナ（前面枠アンテナ３８、機枠アンテナ３９、ケースアンテナ８９）について説明する。
各監視タグは全て一般に利用されているＩＣタグであり、個々に独自の識別情報（タグＩＤ）が予め登録されたものである。そして、監視アンテナからの呼出波を受信すると、自身の識別情報を含んだ反射波を所定の通信距離範囲内へと出力する。一方、監視アンテナは、薄板状のガラスコンポジット基板の表面に送受信回路を設けたものであり、制御装置２０の制御のもと、送受信回路から呼出波を出力するものである。尚、監視タグと監視アンテナとの間で行われるＲＦＩＤ通信は、監視タグと監視アンテナとの間に合成樹脂やガラス等の非金属からなるものが介在していたとしても問題なく行うことができるものである。したがって、たとえ本体枠タグ４０と機枠アンテナ３９との間に本体枠３が介在していたとしても、両者間におけるＲＦＩＤ通信に支障はない。
【００２３】
一方、ＲＦＩＤ通信を制御する制御装置２０について、図５及び図６を基に説明する。図５は、制御装置２０の外観を示した説明図であり、図６は、制御装置２０の制御機構を示したブロック図である。
制御装置２０は、各種制御部材を搭載した監視制御基板１８、スポット７３と無線接続するための無線モジュール６４、充電可能なバッテリ６５等を内蔵した分割式の収納ケースである。監視制御基板１８には、ＲＡＭやＲＯＭ等の記憶手段を内蔵したＣＰＵ（制御手段）５１、監視情報等を記憶するためのＥＥＰＲＯＭ５４、日時を計時するためのＲＴＣ５５、各監視アンテナと接続されるＲＦ回路５６、入出力部となるＩ／Ｏインタフェイス５７等が載置されている。また、制御装置２０の下部には、各監視アンテナから延びるケーブル３４を接続するためのアンテナ用コネクタ９１が８箇所備えられており、８回線まで形成可能となっている。尚、制御装置２０の収納ケースは、容易に開放できないように強固に固着されている。
【００２４】
ここで、制御装置２０の制御機構について説明する。ＣＰＵ５１には、ＥＥＰＲＯＭ５４、ＲＴＣ５５、ＲＦ回路５６、及びＩ／Ｏインタフェイス５７が接続されており、ＣＰＵ５１はＲＦＩＤ通信に係る各種制御動作を主に制御する。
また、ＥＥＰＲＯＭ５４には、各監視タグのタグＩＤがＲＦ回路５６に接続される回線毎に対応付けられた状態で予め登録されているとともに、後述する監視動作において適宜作成される監視情報も記憶される。
【００２５】
次に、ステーション５８について説明する。ステーション５８は、遊技店の管理室等に備えられる管理コンピュータであって、モニター等の表示手段、ハードディスク等の記憶手段、キーボード等の入力手段等を備えたものである。また、無線モジュール等も備えており、スポット７３を介してホール内に設置される各制御装置２０、２０・・との間で監視情報等の通信を行うことができ、各制御装置２０から送信されてくる監視情報の記憶管理等を行う。
【００２６】
（３）実施例の遊技機監視システムの動作内容
パチンコ機１は、主制御基板２１に記憶されているプログラムにしたがって、主たる遊技動作を実行する。そして、遊技者が、遊技球を遊技領域に発射して所定の条件を満たした場合には、いわゆる「大当たり状態」を生起させて、所定個数の遊技球を賞品球として遊技者へと払い出す。
【００２７】
一方、制御装置２０は、パチンコ機１の前面枠４、本体枠３、及び主制御基板収納ケース１９の開閉状況を監視するための監視動作を制御する。ここで、該監視動作について、図７を基に説明する。図７は、制御装置２０による監視動作を示したフローチャート図である。尚、以下に示す監視動作は、短い周期（数十ｍｓ〜百数十ｍｓ）で繰り返し行われるものであり、ＲＦＩＤ通信のほんの僅かな時間の不成立をも略確実に検知することができる。
【００２８】
まず、前面枠アンテナ３８から呼出波を送信し、前面枠４の監視状態に異常がないかを判断する（Ｓ１）。Ｓ１における該判断は、前面枠アンテナ３８より呼出波を送信してから所定時間（たとえば、５０ｍｓ）以内に本体枠タグ４０からの反射波を受信したか否か、及び反射波に含まれているタグＩＤとＥＥＰＲＯＭ５４に予め登録されているタグＩＤとが一致するか否かの判断である。
【００２９】
Ｓ１における判断の結果、異常なし（正常状態である）と判断すると、機枠アンテナ３９から呼出波を送信し、本体枠３の監視状態に異常がないかを判断する（Ｓ２）。Ｓ２における該判断は、Ｓ１における判断と略同様であり、機枠アンテナ３９より呼出波を送信してから所定時間（たとえば、５０ｍｓ）以内に本体枠タグ４０からの反射波を受信したか否か、及び反射波に含まれているタグＩＤとＥＥＰＲＯＭ５４に予め登録されているタグＩＤとが一致するか否かの判断である。
【００３０】
Ｓ２における判断の結果、異常なし（正常状態である）と判断すると、ケースアンテナ８９から呼出波を送信し、主制御基板収納ケース１９の監視状態に異常がないかを判断する（Ｓ３）。Ｓ３における該判断も、Ｓ１及びＳ２における判断と略同様であり、ケースアンテナ８９より呼出波を送信してから所定時間（たとえば、５０ｍｓ）以内にケースタグ８８からの反射波を受信したか否か、及び反射波に含まれているタグＩＤとＥＥＰＲＯＭ５４に予め登録されているタグＩＤとが一致するか否かの判断である。
【００３１】
Ｓ３における判断の結果も異常なし（正常状態である）と判断すると、Ｓ１へと戻り、再び前面枠アンテナ３８から呼出波を送信して、前面枠４の監視状態の判断を行う。通常、このような監視動作が約数十ｍｓ〜百数十ｍｓの周期で繰り返し行われている。
【００３２】
一方、Ｓ１〜Ｓ３の判断において、異常ありと判断した場合には、異常状態である（たとえば、不正者等によって前面枠４や本体枠３が不正開放されている等）とし、該異常状態を検知した（異常状態であると判断した）日時やタグＩＤ（どの監視タグと監視アンテナとの間のＲＦＩＤ通信が不成立となったか）等に関連付けられた異常情報（監視情報）をＥＥＰＲＯＭ５４に記憶する（Ｓ４、Ｓ６、Ｓ８）。そして、報知ランプ７２にて異常状態の報知を行うようスポット７３へと報知要求信号を出力し、異常状態の報知を行う（（Ｓ５、Ｓ７、Ｓ９）。尚、図７に示されているように、一つの監視箇所において異常状態を検知し、その報知を行った後、他の監視箇所においても異常状態が発生していないかどうかは常に順次繰り返し判断される。また、異常状態の報知は、ホール店員等により所定の処置が行われるまで続けて行われる。
以上のような態様で、制御装置２０は前面枠４、本体枠３、及び主制御基板収納ケース１９における監視動作を制御している。
【００３３】
（４）実施例の遊技機監視システムの効果
本実施例に係る遊技機監視システムは、上記の如く、監視アンテナと監視タグとの間で行うＲＦＩＤ通信を利用して、各パチンコ機１の前面枠４、本体枠３、及び主制御基板収納ケース１９の開閉状況の監視（監視情報の記憶）を行っている。したがって、たとえば遊技者がわずかにでも前面枠４を不正に開放したりすると、前面枠アンテナ３８と本体枠タグ４０との間のＲＦＩＤ通信が不成立となるため、制御装置２０は直ちに異常状態であることを検知することができる。また、異常状態を検知すると、ＲＦＩＤ通信が不成立となった日時や不成立となったＲＦＩＤ通信に係るタグＩＤ等を含む異常情報を作成・記憶するとともに報知ランプ７２により周囲に報知を行うため、リアルタイムで効果的な監視を行うことができる。そして、このような監視を行うことで、不正行為に対して強いパチンコ機１を提供することができる。
【００３４】
また、一つの監視タグ（本体枠タグ４０）を利用して、前面枠４と本体枠３との開閉状況を監視可能としているため、より少ない点数で遊技機監視システムを構成することができ、設置作業やメンテナンスがより容易となる上、低コスト化をも図ることができる。さらに、一つの監視アンテナに対して一つの監視タグを設置するものに比べて、監視タグの設置位置が確保しやすく、遊技機の設計自由度を高めることにもなる。
【００３５】
さらにまた、制御装置２０は、一つの監視箇所において異常状態を検知した後にも、他の監視箇所において異常状態が発生していないかを繰り返し順次判断するため、たとえば複数箇所で不正開放されたとしても、全ての不正開放（異常状態）を検知可能で、全ての異常状態に係る異常情報を記憶する。つまり、極めて正確で信頼性の高い監視情報を提供することができる。
【００３６】
加えて、本実施例に係る遊技機監視システムは、従来より島設備に設置されているパチンコ機に監視タグ及び監視アンテナを固着し、島設備内に制御装置２０を設置するとともに、従来よりホールに設けられているステーション５８と各制御装置２０とを接続するだけで構成可能である。つまり、後付可能となっているため、使い勝手が非常に良く、汎用性が極めて高い。
【００３７】
（５）本発明の変更例の説明
本発明の遊技機監視システムは、上述した実施例の態様に何ら限定されるものではなく、各ＩＣタグ、アンテナ、制御装置、ステーション、及びスポット等の材料、形状、取付位置、構造、設置数等の構成を本発明の趣旨時に逸脱しない範囲内で適宜変更することができる。たとえば、本発明の監視対象となる遊技機とは、スロットマシーンや各種ゲーム等、パチンコ機以外のものであってもよい。
【００３８】
また、実施例で記載した以外の監視場所（相対可動部）として、主制御基板収納ケース同様に機構板に設置される各種分割式収納ケース、大入賞装置における可動部材、及び制御装置自体等が考えられる。尚、大入賞装置における可動部材の監視を行う場合には、可動部材に監視タグを、大入賞装置に監視アンテナを夫々固着すればよい。そうすれば、大当たり信号を受信していないにもかかわらず、可動部材及び大入賞装置におけるＲＦＩＤ通信が不成立となった場合に異常状態（不正開放）として検知することができる。
【００３９】
さらに、上記実施例では、制御装置と遊技機とを一対一対応としているが、１台の制御装置にて複数台の遊技機の監視動作を制御することも当然可能であり、各遊技機に固着された監視アンテナから延びるケーブルを１台の制御装置に接続すればよい。尚、上記実施例において制御装置のアンテナ用コネクタは８個となっているが、それ以上（或いはそれ以下）としても何ら問題はない。加えて、切替スイッチ等の選択手段を制御装置に設けることにより、何台の遊技機における監視動作を制御するか適宜設定可能としてもよい。
【００４０】
またさらに、制御装置のＩ／Ｏインタフェイスに、ＣＰＵ内蔵の中継タグを接続して、該中継タグを介して、ＰＤＡ等の外部携帯端末により制御装置に記憶されている監視情報等を参照可能としても何ら問題はない。また、外部携帯端末により、制御装置に記憶されている監視情報の管理（消去等）やタグＩＤの変更等を行うようにしてもよい。
【００４１】
加えて、たとえば店員カードと認証用アンテナとを利用して、遊技機を正規に扱うための権限を認証するような構成とし、権限認証状態において前面枠等が開放された場合であっても異常であると判断しない（異常状態として報知しない）ように構成することも当然可能である。その際の認証日時や開放日時等を作業情報（監視情報）として制御装置に記憶させれば、より詳細な監視を行うことができる。
【００４２】
さらに、制御装置、スポット、及びステーションの接続を有線で行っても何ら問題はないし、報知手段をステーションや遊技機等に設けることで、スポットを用いずに制御装置とステーションとを直接接続することも当然可能である。加えて、上記実施例では報知手段をスポットとしているが、報知手段を遊技機として電飾ランプやスピーカ等により報知を行うようにしてもよいし、報知手段をステーションとして表示手段等を利用して店員名や異常状態等の報知を行うようにしてもよい。尚、ステーションに報知ランプを設けることは当然可能である。
【００４３】
またさらに、各タグと各アンテナとの間の通信可能距離を５ｍｍに設定しているが、それ以上またはそれ以下の距離に設定したとしても何ら問題はない。同様に、監視タグから５０ｍｓ以内に反射波を受信しなければ不正開放と判断するようにしているが、５０ｍｓ以上であっても以下であってもよく、適宜変更可能である。
加えて、監視動作における呼出波の送信順序等を適宜変更可能であるし、不正開放されやすい前面枠をより重点的に監視する（たとえば、前面枠、機枠、前面枠、主制御基板収納ケースといった順序で呼出波を送信する等）ようにすることも当然可能である。また、可能であれば、１つの監視タグに対して３つ以上の監視アンテナがＲＦＩＤ通信を行うように構成したとしても何ら問題はない。
【図面の簡単な説明】
【００４４】
【図１】パチンコ機を設置した島設備の説明図である。
【図２】本体枠及び前面枠を片開きにした状態を示したパチンコ機の説明斜視図である。
【図３】パチンコ機の後面を示した説明図である。
【図４】主制御基板収納ケースの分解斜視図である。
【図５】制御装置の外観を示した説明図である。
【図６】制御装置の制御機構を示したブロック図である。
【図７】監視動作を示したフローチャート図である。
【符号の説明】
【００４５】
１・・パチンコ機、２・・機枠、３・・本体枠、４・・前面枠、６・・遊技盤、１８・・監視制御基板、１９・・主制御基板収納ケース、２０・・制御装置、３８・・前面枠アンテナ、３９・・機枠アンテナ、４０・・本体枠タグ、７２・・報知ランプ、７３・・スポット、８２・・ベース、８３・・カバー、８８・・ケースタグ、８９・・ケースアンテナ。
【図１】
2006087823.tif 000003
【図２】
2006087823.tif 000004
【図３】
2006087823.tif 000005
【図４】
2006087823.tif 000006
【図５】
2006087823.tif 000007
【図６】
2006087823.tif 000008
【図７】
2006087823.tif 000009